(57)【特許請求の範囲】
【請求項１】
名前および住所のいずれか一方である入力内容に応じて設けられた複数の設定メニューの中から、１の設定メニューを選択設定するためのメニュー設定手段と、
前記メニュー設定手段により設定された前記設定メニューに応じて、前記入力内容に応じて設けられた名前予測変換辞書および住所予測変換辞書の中から、１の予測変換辞書を選択設定する辞書設定手段と、
前記メニュー設定手段により設定された前記設定メニューに応じて、前記入力内容に応じて設けられた入力領域を表示する入力領域表示手段と、
表示した前記入力領域に入力された未確定文字列に基づいて、複数の予測変換候補を表示させる予測変換候補表示手段と、
を備え、
前記名前予測変換辞書には、名前に関連する予測変換候補が登録され、
前記住所予測変換辞書には、住所に関連する予測変換候補が登録され、
前記予測変換候補表示手段は、設定された前記予測変換辞書に登録されていると共に当該予測変換辞書が対応する前記入力内容に関連する予測変換候補を表示させ、当該入力内容に関連のない予測変換候補の一切を表示させないことを特徴とする文字入力装置。
【請求項２】
前記予測変換候補表示手段により表示された前記複数の予測変換候補の中から、１の予測変換候補を選択するための予測変換候補選択手段と、
前記予測変換候補選択手段により選択された予測変換候補の選択履歴に基づいて、前記複数の予測変換候補の表示に関する優先順位を変更する表示順位変更手段と、
を更に備えたことを特徴とする請求項１に記載の文字入力装置。
【請求項３】
前記未確定文字列の確定をトリガとして、確定後の確定文字列に繋がり得る文字列候補を、繋がり予測候補として表示させる繋がり予測候補表示手段を、更に備えたことを特徴とする請求項１または２に記載の文字入力装置。
【請求項４】
請求項１ないし３のいずれかに記載の文字入力装置と、
前記文字入力装置により入力された確定文字列に基づいて、印刷テープに印刷を行う印刷手段と、
を備えたことを特徴とするテープ印刷装置。
【発明の詳細な説明】
【技術分野】
【０００１】
本発明は、予測変換辞書を搭載した文字入力装置およびテープ印刷装置に関するものである。
【背景技術】
【０００２】
従来、この種の文字入力装置として、予測変換機能を備えた携帯通信端末が知られている（特許文献１参照）。この携帯通信端末では、表示画面の下半部あるいは右半部に、入力された文字等から予測される予測変換候補を表示させている。
【特許文献１】特開２００２−１０１１７８号公報
【発明の開示】
【発明が解決しようとする課題】
【０００３】
ところで、予測変換機能は、文章等を容易に作成するために用いられているが、このとき、上記の構成における予測変換機能を用いて、例えば、住所を入力しようとして「と」を入力した場合、表示される複数の予測変換候補には、住所に関連する予測変換候補（例えば、東京都等）が表示される他に、住所に関連のない予測変換候補（例えば、友達等）も表示される。このため、住所を入力したいにもかかわらず、住所に関連のない予測変換候補が表示されるため、ユーザーによる予測変換候補の選択操作が、煩雑となってしまう問題があった。
【０００４】
本発明は、入力状況に応じて、簡単に予測変換候補を選択することができる文字入力装置およびテープ印刷装置を提供することを課題とする。
【課題を解決するための手段】
【０００５】
本発明の文字入力装置は、名前および住所のいずれか一方である入力内容に応じて設けられた複数の設定メニューの中から、１の設定メニューを選択設定するためのメニュー設定手段と、メニュー設定手段により設定された設定メニューに応じて、入力内容に応じて設けられた名前予測変換辞書および住所予測変換辞書の中から、１の予測変換辞書を選択設定する辞書設定手段と、メニュー設定手段により設定された設定メニューに応じて、入力内容に応じて設けられた入力領域を表示する入力領域表示手段と、表示した入力領域に入力された未確定文字列に基づいて、複数の予測変換候補を表示させる予測変換候補表示手段と、を備え、名前予測変換辞書には、名前に関連する予測変換候補が登録され、住所予測変換辞書には、住所に関連する予測変換候補が登録され、予測変換候補表示手段は、設定された予測変換辞書に登録されていると共に当該予測変換辞書が対応する入力内容に関連する予測変換候補を表示させ、当該入力内容に関連のない予測変換候補の一切を表示させないことを特徴とする。
【０００６】
この構成によれば、入力状況に応じて予測変換辞書を使い分けることができる。このため、例えば、住所を入力する状況にある場合は、住所入力に特化した予測変換辞書を用いることにより、住所に関連する予測変換候補のみを表示することができるため、住所入力における予測変換候補の選択操作を簡単にすることができる。これにより、入力状況に応じて、予測変換候補の選択操作性を向上させることができ、使い勝手の良いものとすることができる。なお、入力状況とは、例えば、入力内容として、住所を入力する状況であったり、名前を入力する状況であったり、または、入力時期として、季語を入力する状況である。
また、設定メニューを選択設定することで、簡単に入力状況を設定することができる。例えば、住所登録設定メニューや名前登録設定メニュー等の設定メニューを設けておき、各設定メニューを選択設定することで、辞書設定手段により、各種設定メニューに特化した予測変換辞書、すなわち、住所予測変換辞書や名前予測変換辞書等を選択設定することができる。
【００１１】
この場合、予測変換候補表示手段により表示された複数の予測変換候補の中から、１の予測変換候補を選択するための予測変換候補選択手段と、予測変換候補選択手段により選択された予測変換候補の選択履歴に基づいて、複数の予測変換候補の表示に関する優先順位を変更する表示順位変更手段と、を更に備えることが、好ましい。
【００１２】
この構成によれば、予測変換候補の選択頻度が高いものほど、次回の表示において、優先的に表示させることができる（いわゆる学習機能）。このため、予測変換候補の表示に際し、選択頻度が高い予測変換候補ほど、先頭に表示させることができるため、予測変換候補の選択操作性を更に向上させることができる。
【００１３】
この場合、未確定文字列の確定をトリガとして、確定後の確定文字列に繋がり得る文字列候補を、繋がり予測候補として表示させる繋がり予測候補表示手段を、更に備えたことが、好ましい。
【００１４】
この構成によれば、確定後の確定文字列に繋がり得る文字列候補を繋がり予測候補として表示させることができるため、文章作成等における文字入力作業を容易に行うことができる。
【００１５】
本発明のテープ印刷装置は、上記の文字入力装置と、文字入力装置により入力された確定文字列に基づいて、印刷テープに印刷を行う印刷手段と、を備えたことを特徴とする。
【００１６】
この構成によれば、入力状況別に特化した予測変換辞書を用いることができるため、各入力状況に応じて、ユーザーによる予測変換候補の選択操作を容易にすることができる。
【発明を実施するための最良の形態】
【００１７】
以下、添付の図面を参照して、本発明の文字入力装置を適用したテープ印刷装置について説明する。このテープ印刷装置は、入力された未確定文字列に基づいて、ディスプレイ上に複数の予測変換候補を表示すると共に、１の予測変換候補を選択して確定した確定文字列に基づいて、ディスプレイ上に印刷レイアウトを表示し、この印刷レイアウトに倣ってラベルを作成するものである。
【００１８】
図１及び図２に示すように、テープ印刷装置１は、印刷テープＴに対して印刷処理を行う装置本体１１と、印刷テープＴおよびインクリボンＲを収容し、装置本体１１に着脱自在に装着されるテープカートリッジＣとを備えている。
【００１９】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。機能キー１５には、ディスプレイ２４に表示される選択肢を選択する上下（左右）キー（予測変換候補選択手段）、入力した未確定文字列９０を確定文字列９１として確定する確定キー、入力編集中の文字等を削除する削除キー、ラベル作成処理を実行するための印刷キー、各種設定メニューへ移行するための各種メニュー設定キー（メニュー設定手段）等が設けられている。ここで、各種メニュー設定キーには、例えば、印刷テープＴに印刷する文字列を作成・編集する入力・編集メニュー８０へ移行するための入力編集キー、名前を登録する名前登録設定メニュー１００へ移行するための名前登録キー、住所を登録する住所登録設定メニュー１０５へ移行するための住所登録キー等が設けられている。
【００２０】
装置ケース１２の後半部上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。また、後半部右上面には、キーボード１７からの入力結果等を表示するディスプレイ２４が配設されている。
【００２１】
図２に示すように、開閉蓋２１の内側には、テープカートリッジＣが装着されるカートリッジ装着部３１が窪入形成されており、カートリッジ装着部３１には、テープカートリッジＣから繰り出される印刷テープＴに印刷処理を行う印刷ヘッド４１が配設されている。
【００２２】
装置ケース１２の左側部には、カートリッジ装着部３１と装置外部とを連通するテープ排出口３２が形成され、このテープ排出口３２に臨んで装置ケース１２には、印刷テープＴを切断するためのカッタユニット３３が内蔵されている。また、図１および図２では省略したが、装置ケース１２の内部には、装置本体１１を統括制御する制御部６０を構成する回路基板が搭載されている。
【００２３】
カートリッジ装着部３１には、発熱素子を有しヘッドカバー４０に覆われた印刷ヘッド（印刷手段）４１と、後述するテープリール５１の位置決めをする位置決め突起４２と、テープカートリッジＣの印刷テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ２６（図４参照）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２４】
テープカートリッジＣは、カートリッジケース５０の内部に、印刷テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、印刷テープＴとインクリボンＲとが重なる部分に対応し、上記プラテン駆動軸４３に嵌合して回転運動するプラテンローラ５５が配置されている。
【００２５】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、印刷テープＴおよびインクリボンＲを挟み込んでプラテンローラ５５に当接し、印刷待機状態となる。入力・編集メニュー８０において印刷データが生成されると、生成された印刷データに基づき、プラテン駆動軸４３および巻取り駆動軸４４が同期回転して、印刷テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の印刷テープＴは、印刷済み部分がカッタユニット３３により切断され、切断されたテープ片がラベルとしてテープ排出口３２から外部に排出される。
【００２６】
印刷テープＴは、テープ種別（テープ幅、テープ色、インクリボン色、テープ材質など）が異なる複数種のものが用意されており、裏面に粘着剤が塗着された記録テープＴ１と、粘着剤を介して記録テープＴ１に貼付された剥離テープＴ２とから構成されている。カートリッジケース５０の裏面には、小さな複数の被検出孔（図示省略）が形成され、上記のテープ識別センサ２６によってこの複数の被検出孔が検出されることにより、印刷テープＴの種別を識別できるようになっている。
【００２７】
図３（ａ）に示すように、ディスプレイ２４は横長の表示画面を有しており、ディスプレイ２４上には、デフォルト画面（初期画面）として、入力・編集メニュー８０が表示されている。入力・編集メニュー８０は、下部に設定されると共に入力編集を行うための入力編集領域８１と、上部に設定されると共に印刷レイアウトを逐一表示するレイアウト表示領域８２と、を備えている。
【００２８】
入力編集領域８１には、キーボード１７から入力された文字列が横書きに表示され、文字列が複数行に亘る場合には、行毎に上下に並べて表示される。入力編集領域８１に入力された文字列が未確定文字列９０である場合、文字列を陽ドットとして白黒反転表示される（図５（ｂ）参照）一方、未確定文字列９０が確定キーにより確定文字列９１となった場合、文字列を陰ドットとして通常表示され、レイアウト表示領域８２に印刷レイアウトが表示される。また、入力編集領域８１には、各文字列が何行目に位置するかを表示した行頭マーク８３と、編集入力位置を指標するカーソル８４とが表示される。
【００２９】
レイアウト表示領域８２の左側には、検出したテープ幅と作成されるテープ長とが小さく数値表示されると共に、その数値表示の右側には、印刷レイアウトが大きく表示される。印刷レイアウトは、文字未入力の状態においては、白紙の印刷レイアウトを表示すると共に、確定文字列９１の入力状態においては、確定文字列９１の印刷レイアウトを表示する。これにより、作成されるラベルの大きさ、配置バランスおよび余白領域等をラベル作成処理前に確認できるようになっている。具体的に説明すると、図３に示すレイアウト表示領域８２には、テープ幅（１８ｍｍ）およびテープ長（４．５ｃｍ）が数値表示され、入力した確定文字列「今日は」の印刷レイアウトが、テープを陰ドットとして文字を陽ドットとして白黒反転表示されている。
【００３０】
ここで、レイアウト表示領域８２には、印刷レイアウトの表示に代えて、入力された未確定文字列９０から予測される複数の予測変換候補９２が表示されると共に、確定後の確定文字列９１に繋がり得ると予測される複数の繋がり予測候補９３が表示されるようになっている（詳細は後述）。
【００３１】
また、ディスプレイ２４には、上記表示内容に加え、メニュー設定キーの操作により、名前登録設定メニュー１００や住所登録設定メニュー１０５等の各種設定メニューも表示される。図３（ｂ）に示すように、名前登録設定メニュー１００は、下部に設定されると共に氏・名をそれぞれ入力するための氏名入力領域１０１と、上部に設定されると共に予測変換候補および繋がり予測候補を表示する予測候補表示領域１０２と、を備えている。同様に、図３（ｃ）に示すように、住所登録設定メニュー１０５は、下部に設定されると共に郵便番号・住所をそれぞれ入力するための住所入力領域１０６と、上部に設定されると共に予測変換候補および繋がり予測候補を表示する予測候補表示領域１０７と、を備えている。
【００３２】
次に、図４を参照し、テープ印刷装置１の制御系について説明する。テープ印刷装置１は、操作部６１と、検出部６２と、印刷部６３と、切断部６４と、駆動部６５と、これら各部に接続して、テープ印刷装置１全体を制御する制御部６０と、を有している。
【００３３】
操作部６１は、キーボード１７上の文字入力キー１３、機能キー１５等からのデータ入力や、印刷データ等のディスプレイ２４への表示等、ユーザインターフェースとして機能する。検出部６２は、テープ識別センサ２６を有し、印刷テープＴ（テープカートリッジＣ）の種別を検出する。印刷部６３は、テープカートリッジＣ、印刷ヘッド４１および印刷送りモータ４６を有し、印刷テープＴおよびインクリボンＲを搬送しながら、生成された印刷データに基づいて、印刷ヘッド４１により印刷テープＴ上に印刷を行う。切断部６４は、印刷テープＴを切断するフルカッタ３４及びこれを駆動するフルカッタモータ３５からなるカッタユニット３３を有し、印刷部６３で印刷処理済みの印刷テープＴを所定の長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００３４】
制御部６０は、ＣＰＵ（Ｃｅｎｔｒａｌ  Ｐｒｏｃｅｓｓｉｎｇ  Ｕｎｉｔ）７１と、ＣＰＵ７１で各種制御処理を行うための各種制御プログラムを記憶したＲＯＭ（Ｒｅａｄ  Ｏｎｌｙ  Ｍｅｍｏｒｙ）７２と、各種制御処理の作業領域となるＲＡＭ（Ｒａｎｄｏｍ  Ａｃｃｅｓｓ  Ｍｅｍｏｒｙ）７３と、テープ印刷装置１の各部と入力データや制御信号の入出力を行う入出力制御装置（以下、「ＩＯＣ：Ｉｎｐｕｔ  Ｏｕｔｐｕｔ  Ｃｏｎｔｒｏｌｌｅｒ」と称する）７４と、を備え、これらは互いに内部バス７５により接続されている。
【００３５】
ＲＯＭ７２内には、印刷レイアウトをディスプレイ２４のレイアウト表示領域８２に表示するレイアウト表示プログラム１１０と、仮名漢字、ローマ字、数字、絵文字等から成る文字列を予測変換候補および繋がり予測候補として登録した複数種の予測変換辞書１１１と、選択された各種設定メニューに対応した予測変換辞書１１１を設定する辞書設定プログラム１１２と、キーボード１７により入力された未確定文字列９０に基づいて、予測変換辞書１１１の中から１以上の予測変換候補を抽出する予測変換候補抽出プログラム１１３と、抽出された１以上の予測変換候補をディスプレイ２４のレイアウト表示領域８２に表示する予測変換候補表示プログラム１１４と、が記憶されている。複数種の予測変換辞書１１１としては、例えば、通常の文章を作成する際に用いられる通常予測変換辞書１１１ａ、名前を登録する際に用いられると共に名前に関連する予測変換候補が登録された名前予測変換辞書１１１ｂや、住所を登録する際に用いられると共に住所に関連する予測変換候補が登録された住所予測変換辞書１１１ｃ等が用意されている。
【００３６】
また、ＲＯＭ７２内には、未確定文字列の確定をトリガとして、各予測変換辞書１１１の中から１以上の繋がり予測候補を抽出する繋がり予測候補抽出プログラム１１５と、抽出された１以上の繋がり予測候補をディスプレイ２４のレイアウト表示領域８２に表示する繋がり予測候補表示プログラム１１６と、が記憶されている。さらに、ＲＯＭ７２内には、複数種の予測変換辞書１１１に対応して設けられ、選択確定後の予測変換候補および繋がり予測候補を、次回の表示の際に優先的に表示させる複数の予測学習辞書１１７が、記憶されている。
【００３７】
そして、ＣＰＵ７１は、上記の構成により、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１の各部に各種信号・データを出力することにより、入力・編集処理や印刷切断処理の制御を行う。
【００３８】
具体的には、各種メニュー設定キーにより所望の設定メニューをディスプレイ２４上に表示させると、ＣＰＵ７１は、ＲＯＭ７２内の辞書設定プログラム１１２に従い、表示された設定メニューに応じた予測変換辞書１１１を設定する（辞書設定手段）。この後、文字入力キー１３により未確定文字列９０が入力されると、ＣＰＵ７１は、選択された設定メニューに未確定文字列９０を表示すると共に、ＲＯＭ７２内の各予測変換辞書１１１、予測変換候補抽出プログラム１１３および予測変換候補表示プログラム１１４に従い、入力された未確定文字列９０から予測される複数の予測変換候補９２を、表示する（予測変換候補表示手段）。このとき、表示される予測変換候補９２および繋がり予測候補９３は、各予測学習辞書１１１に従い、選択頻度の高いものから先頭に表示される（表示順位変更手段）。
【００３９】
また、ＣＰＵ７１は、ＲＯＭ７２内の繋がり予測候補抽出プログラム１１５および繋がり予測候補表示プログラム１１６に従い、確定文字列９１に繋がり得る複数の繋がり予測候補９３を表示する（繋がり予測候補表示手段）。
【００４０】
更に、ＣＰＵ７１は、確定キーが押され、未確定文字列９０が確定されると、入力編集領域８１に確定した文字等を表示すると共に、レイアウト表示プログラム１１０に従い、入力・編集メニュー８０のレイアウト表示領域８２に確定した確定文字列９１を印刷レイアウトとして表示する。
【００４１】
次に、図５のディスプレイ２４の表示遷移図を参照し、入力・編集メニュー８０において、入力した未確定文字列９０を確定文字列９１として確定する一連の操作について説明する。なお、以下の入力編集例では、「明日の」を作成するものとして説明を行う。
【００４２】
ユーザーにより、テープ印刷装置１の電源がＯＮされると、ディスプレイ２４には、デフォルト画面となる入力・編集メニュー８０が表示される（図５（ａ）参照）と共に、複数種の予測変換辞書１１１の中から通常予測変換辞書１１１ａが設定される。ユーザーが、文字入力キー１３を押して、文字「あ」を入力すると、入力編集領域８１には、未確定文字「あ」が表示されると共に、レイアウト表示領域８２に、通常予測変換辞書１１１ａに基づいて、未確定文字「あ」から予測される複数の予測変換候補９２が表示される（図５（ｂ）参照）。このとき、選択頻度が高い予測変換候補９２から、ディスプレイ２４の先頭に、優先的に表示されてゆく。
【００４３】
次に、ユーザーは、上下キーを操作して、複数の予測変換候補９２の中から「明日」の予測変換候補を選択し、確定キーにより、選択した予測変換候補を確定文字列９１として確定する。すると、入力編集領域８１には、選択した予測変換候補「明日」が確定文字列９１として表示され、レイアウト表示領域８２には、確定文字列「明日」に繋がり得る複数の繋がり予測候補９３が表示される（図５（ｃ）参照）。この後、ユーザーは、上下キーを操作して、複数の繋がり予測候補９３から「の」の繋がり予測候補を選択し、確定キーにより、選択した繋がり予測候補９３を確定文字列９１として確定する。このとき、確定文字列「の」に繋がり得る繋がり予測候補がある場合は、上記処理を同様に行う一方、繋がり予測候補がない場合は、レイアウト表示領域８２に印刷レイアウトが表示される（図５（ｄ）参照）。なお、選択中の予測変換候補および繋がり予測候補は、網掛け表示されている。この後、入力編集作業を続行する場合には、上記同様の操作を繰り返す一方、確定文字列９１を印刷する場合には、印刷キーを押すことで、印刷処理が実行された後、切断処理が実行されて、ラベルが作成される。
【００４４】
次に、図６のディスプレイ２４の表示遷移図を参照し、名前登録設定メニュー１００において、入力した未確定文字列９０を確定文字列９１として確定する一連の操作について説明する。
【００４５】
ユーザーにより、テープ印刷装置１の電源がＯＮされると、ディスプレイ２４には、デフォルト画面となる入力・編集メニュー８０が表示され（図５（ａ）参照）、この後、名前登録キーを押すと、ディスプレイ２４には、名前登録設定メニュー１００が表示される（図６（ａ）参照）。このとき、通常予測変換辞書１１１ａから名前予測変換辞書１１１ｂに設定変更される。次に、ユーザーが、氏名入力領域１０１において、「氏」を入力するために、文字入力キー１３を押して、文字「あ」を入力すると、氏名入力領域１０１の「氏」入力部分には、未確定文字「あ」が表示されると共に、予測候補表示領域１０２に、名前予測変換辞書１１１ｂに基づいて、未確定文字「あ」から予測される複数の予測変換候補９２が表示される（図６（ｂ）参照）。このとき、表示された複数の予測変換候補９２は、名前に関連する予測変換候補のみが表示される。
【００４６】
次に、ユーザーは、上下キーを操作して、複数の予測変換候補９２の中から「秋山」の予測変換候補を選択し、確定キーにより、選択した予測変換候補９２を確定文字列９１として確定する。すると、入力編集領域８１には、選択した予測変換候補「秋山」が確定文字列９１として表示される（図６（ｃ）参照）。この後、ユーザーは、上記と同様の手順により「名」を入力する。
【００４７】
次に、図７のディスプレイ２４の表示遷移図を参照し、住所登録設定メニュー１０５において、入力した未確定文字列９０を確定文字列９１として確定する一連の操作について説明する。
【００４８】
ユーザーにより、テープ印刷装置１の電源がＯＮされると、ディスプレイ２４には、デフォルト画面となる入力・編集メニュー８０が表示され（図５（ａ）参照)、この後、住所登録キーを押すと、ディスプレイ２４には、住所登録設定メニュー１０５が表示される（図７（ａ）参照）。このとき、通常予測変換辞書１１１ａから住所予測変換辞書１１１ｃに設定変更される。次に、ユーザーが、住所入力領域１０６において、「住所」を入力するために、文字入力キー１３を押して、文字「な」を入力すると、住所入力領域１０６の「住所」入力部分には、未確定文字「な」が表示されると共に、予測候補表示領域１０７に、住所予測変換辞書１１１ｃに基づいて、未確定文字「な」から予測される複数の予測変換候補９２が表示される（図７（ｂ）参照）。このとき、表示された複数の予測変換候補９２は、住所に関連する予測変換候補のみが表示される。
【００４９】
次に、ユーザーは、上下キーを操作して、複数の予測変換候補９２の中から「長野県」の予測変換候補を選択し、確定キーにより、確定文字列９１として確定する。すると、住所入力領域１０６には、選択した予測変換候補「長野県」が確定文字列９１として表示されると共に、予測候補表示領域１０７には、確定文字列「長野県」に繋がり得る複数の繋がり予測候補９３が表示される（図７（ｃ）参照）。この場合も、表示された複数の繋がり予測候補９３は、住所に関連する繋がり予測候補のみが表示される。この後、ユーザーは、上下キーを操作して、複数の繋がり予測候補９３から「長野市」の繋がり予測候補を選択し、確定キーにより、確定文字列９１として確定する。このとき、確定文字列「長野市」に繋がり得る繋がり予測候補がある場合は、上記処理を同様に行う一方、繋がり予測候補がない場合は、住所入力領域１０６に確定文字列が表示される（図７（ｄ）参照）。
【００５０】
次に、図８のフローチャートを参照して、複数種の予測変換辞書１１１の中から所定の予測変換辞書を設定するテープ印刷装置１の動作フローについて説明する。先ず、ユーザーにより、所定のキー操作が行われると、ディスプレイ２４上に各種設定メニューが呼び出される（Ｓ１）。ここでユーザーは、キー操作により所望の設定メニューを選択する。すると、テープ印刷装置１は、各種設定メニューに対応した予測変換辞書１１１を設定する（Ｓ２）。そして、未確定文字列が入力される（Ｓ３）と、設定された予測変換辞書１１１に基づいて、ディスプレイ２４上に複数の予測変換候補が表示され（Ｓ４）、所望の予測変換候補を選択して確定することにより（Ｓ５）、所望の予測変換候補が確定文字列として入力される。
【００５１】
以上の構成によれば、各種設定メニューに応じて予測変換辞書を使い分けることができる。このため、例えば、住所入力時において、住所予測変換辞書１１１ｃを用いることで、住所に関連する予測変換候補のみを表示することができるため、住所入力における予測変換候補の選択操作を簡単にすることができる。これにより、入力状況に応じて、予測変換候補の選択操作性を向上させることができ、使い勝手の良いものとすることができる。
【００５２】
次に、図９および図１０を参照して、第２実施形態に係るテープ印刷装置１について説明する。なお、重複した記載を避けるべく、異なる部分についてのみ説明する。第１実施形態のテープ印刷装置１では、各種設定メニューに応じて予測変換辞書を設定していたが、このテープ印刷装置１では、各季節に応じて予測変換辞書を設定している。このテープ印刷装置１は、年月日を含む時刻を計測する時計（計時手段：図４の仮想線）１５０と、ＲＯＭ７２内に記憶され、時計１５０から時刻を取得すると共に取得した時刻に基づいて季節を設定する季節設定プログラム（図４の仮想線）１５１と、を有しており、辞書設定プログラム１１２は、季節設定プログラム１５１により設定された季節に対応する予測変換辞書１１１を設定するよう構成されている。つまり、季節設定プログラム１５１は、春（３〜５月）、夏（６〜８月）、秋（９〜１１月）、冬（１２〜２月）の各季節を設定するよう構成され、また、複数種の予測変換辞書１１１の中には、春用予測変換辞書、夏用予測変換辞書、秋用予測変換辞書および冬用予測変換辞書が用意されている。なお、これらの予測変換辞書は自動設定されるため、設定された予測変換辞書の種別をイラスト等で画面表示してもよい。また、上記の時計は、制御部６０に搭載されているいわゆる内部クロックを利用してもよい。
【００５３】
図９を参照して、入力・編集メニュー８０において、入力した未確定文字列９０を確定文字列９１として確定する一連の操作について説明する。なお、以下の説明では、季節設定プログラム１５１により夏に設定される場合と、冬に設定される場合と、について説明する。
【００５４】
ユーザーにより、テープ印刷装置１の電源がＯＮされると、テープ印刷装置１は、季節設定プログラム１５１に従い、時計１５０から取得した時刻（月日）により季節（ここでは、「夏」）を設定する（入力状況設定手段）。この後、ディスプレイ２４には、デフォルト画面となる入力・編集メニュー８０が表示される（図９（ａ）参照)と共に、設定された季節に基づいて、辞書設定プログラム１１２により複数の予測変換辞書の中から夏用予測変換辞書が設定される。
【００５５】
そして、ユーザーが、文字入力キー１３を操作して、文字「しょ」を入力すると、入力編集領域８１には、未確定文字「しょ」が表示されると共に、レイアウト表示領域８２に、夏用予測変換辞書に基づいて、未確定文字「しょ」から予測される複数の予測変換候補９２が表示される（図９（ｂ）参照）。このとき、複数の予測変換候補の中には、夏に関連する予測変換候補（例えば、初夏等）が含まれている。
【００５６】
一方、季節設定プログラム１５１により季節が「冬」と設定されると、辞書設定プログラム１１２により冬用予測変換辞書が設定される。そして、ユーザーが、文字入力キー１３を操作して、文字「しょ」を入力すると、入力編集領域８１には、未確定文字「しょ」が表示されると共に、レイアウト表示領域８２に、冬用予測変換辞書に基づいて、未確定文字「しょ」から予測される複数の予測変換候補９２が表示される（図９（ｃ）参照）。このとき、複数の予測変換候補９２の中には、冬に関連する予測変換候補（例えば、正月、障子や初冬等）が含まれている。
【００５７】
次に、図１０のフローチャートを参照して、複数種の予測変換辞書１１１の中から所定の予測変換辞書を設定するテープ印刷装置の動作フローについて説明する。先ず、ユーザーにより、テープ印刷装置１の電源がＯＮされると、時計１５０から時刻を取得する（Ｓ１１）。この後、テープ印刷装置１は、取得した時刻に対応した予測変換辞書を設定する（Ｓ１２）。そして、未確定文字列が入力される（Ｓ１３）と、設定された予測変換辞書に基づいて、ディスプレイ２４上に複数の予測変換候補を表示し（Ｓ１４）、所望の予測変換候補を選択して確定することにより（Ｓ１５）、所望の予測変換候補が確定文字列９１として入力される。
【００５８】
以上の構成によれば、季節に応じて予測変換辞書を使い分けることができる。このため、例えば、季語等を入力する際に、季節に関連する予測変換候補を含んだ状態で複数の予測変換候補９２を表示することができるため、季語入力における予測変換候補の選択操作を簡単にすることができる。これにより、入力状況に応じて、予測変換候補の選択操作性を向上させることができ、テープ印刷装置１を使い勝手の良いものとすることができる。なお、上記実施形態では、季節に関連する予測変換候補を自動設定するようにしたが、これを設定メニューによりマニアルで設定できるようにしてもよい。
【図面の簡単な説明】
【００５９】
【図１】本実施形態に係るテープ印刷装置の開蓋状態における外観斜視図である。
【図２】本実施形態に係るテープ印刷装置の開蓋状態における外観斜視図である。
【図３】ディスプレイの模式図である。
【図４】テープ印刷装置の制御ブロック図である。
【図５】入力・編集メニューにおける一連の操作に関するディスプレイの表示遷移図である。
【図６】名前登録設定メニューにおける一連の操作に関するディスプレイの表示遷移図である。
【図７】住所登録設定メニューにおける一連の操作に関するディスプレイの表示遷移図である。
【図８】テープ印刷装置により予測変換辞書を設定するフローチャート図である。
【図９】第２実施形態に係るテープ印刷装置におけるディスプレイの模式図である。
【図１０】第２実施形態に係るテープ印刷装置により予測変換辞書を設定するフローチャート図である。
【符号の説明】
【００６０】
１…テープ印刷装置  １７…キーボード  ２４…ディスプレイ  ４１…印刷ヘッド  ７１…ＣＰＵ  ７２…ＲＯＭ  ７３…ＲＡＭ  ８０…入力・編集メニュー  １００…名前登録設定メニュー  １０５…住所登録設定メニュー  １１０…レイアウト表示プログラム  １１１…予測変換辞書  １１２…辞書設定プログラム  １１３…予測変換候補抽出プログラム  １１４…予測変換候補表示プログラム  １１１ａ…通常予測変換辞書  １１１ｂ…名前予測変換辞書  １１１ｃ…住所予測変換辞書  １１５…繋がり予測候補抽出プログラム  １１６…繋がり予測候補表示プログラム  １１７…複数の予測学習辞書  １５０…時計  １５１…季節設定プログラム
【図１】
0005475221.tif 000002
【図２】
0005475221.tif 000003
【図３】
0005475221.tif 000004
【図４】
0005475221.tif 000005
【図５】
0005475221.tif 000006
【図６】
0005475221.tif 000007
【図７】
0005475221.tif 000008
【図８】
0005475221.tif 000009
【図９】
0005475221.tif 000010
【図１０】
0005475221.tif 000011